(57)【要約】【課題】一軸の工具と同程度の作業性を備え、かつ、締め付け強度を備える工具を提供する。【解決手段】モンキーレンチは、工具のヘッド部とハンドル部を連結する連結部１と、連結部１と可動可能に接続された第１の接続部１０を備えるヘッド部２と、連結部１と可動可能に接続された第２の接続部２０を備えるハンドル部３と、を備え、第１の接続部１０が回転する第１の回転軸と第２の接続部２０が回転する第２の回転軸は、互いに直交し、第１の回転軸は、工具の使用時にヘッド部２（工具先端部４）が回転する軸に対して、直交する。【選択図】図１
2019118969.tif 000002
【特許請求の範囲】
【請求項１】
工具のヘッド部とハンドル部を連結する連結部と、
前記連結部と可動可能に接続された第１の接続部を備えるヘッド部と、
前記連結部と可動可能に接続された第２の接続部を備えるハンドル部と、を備え、
前記第１の接続部が回転する回転軸と前記第２の接続部が回転する回転軸は、互いに直交し、いずれか一方の回転軸は、工具の使用時に前記ヘッド部が回転する軸に対して、直交することを特徴とする二軸自在工具。
【請求項２】
前記連結部と前記ヘッド部の相対角度が１８０度の場合、前記第２の接続部が回転する方向は、工具の使用時に前記ヘッド部が回転する方向と同じであることを特徴とする請求項１に記載の二軸自在工具。
【請求項３】
前記第１の接続部では、
前記連結部と前記ヘッド部が、前記連結部と前記ヘッド部のうち一方の側面に形成された凸形状の枢接部と、他方の側面に形成された凹形状の枢接溝と、前記枢接部を前記枢接溝に収容した状態で連結する枢軸と、で枢接され、
前記第２の接続部では、
前記連結部と前記ハンドル部が、前記ハンドル部の厚み方向を回転軸とする連結棒で接続されていることを特徴とする請求項１又は２に記載の二軸自在工具。
【請求項４】
前記第２の接続部では、
前記連結部と前記ハンドル部が面接合され、互いの接合面は、前記ハンドル部に対する前記連結部の角度を所定の角度で固定可能な凸部又は凹部を備えることを特徴とする請求項１乃至３のいずれかに記載の二軸自在工具。
【発明の詳細な説明】
【技術分野】
【０００１】
本発明は、ボルト等を締め付ける工具の技術に関する。
【背景技術】
【０００２】
ボルトやナット等の結合部品を締め付ける場合、モンキーレンチやスパナ等の工具が用いられる。このような工具は、一般家庭での簡易な作業で用いられる以外に、結合部品が汎用品であれば業務でも用いられる。例えば、通信局等建物内のガス配線を壁面に固定するため、その他通信設備の通信線を連結接続するため、汎用的なナットが用いられている場合、保守業務員は、一般家庭用のモンキーレンチと同じものを用いて点検作業を行い、緩みがあれば締め付けて結合強度を維持する保守作業を行う。
【０００３】
その一方で業務用の工具は、一般家庭用の工具よりも強固な締め付け強度を備えることが必要とされる。例えば、通信設備には多くの箇所で結合部品が使用されており、特に振動等を伴う箇所にボルトやナットが使用されている場合、そのボルト等が緩み外れることにより、固定対象物が半固定状態又は非接合状態となる可能性がある。それゆえ、ガス漏れ等の危険性の発生を回避するため、一定以上の締め付け強度を備えることが重要となる。
【先行技術文献】
【特許文献】
【０００４】
【特許文献１】特開２０１７−０５５５１２号公報
【発明の概要】
【発明が解決しようとする課題】
【０００５】
しかし、通信設備内では保守点検を行う作業場所や作業空間が狭く、また、結合部品は通信局内の壁面端部に固定されていることが多く、更には、結合部品間の間隙は極めて狭いことが多いため、工具を使用するスペースが十分にない。それゆえ、従来の工具では、締め付けを行うボルトやネジに対して工具のヘッド部を十分に嵌め込むことができないという課題があった。また、その嵌め込みが不十分な状態で締め付け作業を行うため、ナットのエッジ部がなめる等、結合部品が不良化しやすいという課題もあった。
【０００６】
このような課題に対し、関節を設けることで形状を変形可能な工具がある。具体的には、工具のヘッド部とハンドル部との間に１つの可動部位を設けた一軸の工具がある。しかし、関節を設けたことにより結合部品を締め付ける強度が低下するため、力を加えるような作業には不適であった。
【０００７】
それゆえ、従来では、狭小なスペースで作業せざる終えない状況において、ボルトやナットに十分に嵌め込みを行わない状態や力の入らない状況で結合部品の保守点検に係る現場作業が行われていた。
【０００８】
本発明は、上記に鑑みてなされたものであり、一軸の工具と同程度の作業性を備え、かつ、締め付け強度を備える工具を提供することにある。
【課題を解決するための手段】
【０００９】
以上の課題を解決するため、請求項１に係る二軸自在工具は、工具のヘッド部とハンドル部を連結する連結部と、前記連結部と可動可能に接続された第１の接続部を備えるヘッド部と、前記連結部と可動可能に接続された第２の接続部を備えるハンドル部と、を備え、前記第１の接続部が回転する回転軸と前記第２の接続部が回転する回転軸は、互いに直交し、いずれか一方の回転軸は、工具の使用時に前記ヘッド部が回転する軸に対して、直交することを特徴とする。
【００１０】
請求項２に係る二軸自在工具は、請求項１に記載の二軸自在工具において、前記連結部と前記ヘッド部の相対角度が１８０度の場合、前記第２の接続部が回転する方向は、工具の使用時に前記ヘッド部が回転する方向と同じであることを特徴とする。
【００１１】
請求項３に係る二軸自在工具は、請求項１又は２に記載の二軸自在工具において、前記第１の接続部では、前記連結部と前記ヘッド部が、前記連結部と前記ヘッド部のうち一方の側面に形成された凸形状の枢接部と、他方の側面に形成された凹形状の枢接溝と、前記枢接部を前記枢接溝に収容した状態で連結する枢軸と、で枢接され、前記第２の接続部では、前記連結部と前記ハンドル部が、前記ハンドル部の厚み方向を回転軸とする連結棒で接続されていることを特徴とする。
【００１２】
請求項４に係る二軸自在工具は、請求項１乃至３のいずれかに記載の二軸自在工具において、前記第２の接続部では、前記連結部と前記ハンドル部が面接合され、互いの接合面は、前記ハンドル部に対する前記連結部の角度を所定の角度で固定可能な凸部又は凹部を備えることを特徴とする。
【発明の効果】
【００１３】
本発明によれば、一軸の工具と同程度の作業性を備え、かつ、締め付け強度を備える工具を提供することができる。
【図面の簡単な説明】
【００１４】
【図１】モンキーレンチの構成を示す図である。
【図２】第１の接続部の構造を示す図である。
【図３】第１の接続部の構造を示す図である。
【図４】モンキーレンチにおけるヘッド部の別構成を示す図である。
【発明を実施するための形態】
【００１５】
本発明では、一軸の工具と同程度の作業性を備えるため、ヘッド部とハンドル部との間に２つの接続部（関節部）を設ける。また、締め付け強度を備えるため、２つの接続部における２つの回転軸を互いに直交し、いずれか一方の回転軸は、工具の使用時にヘッド部が回転する軸に対して直交するようにする。以下、本発明を実施する一実施の形態について図面を用いて説明する。各実施の形態では、工具（二軸自在工具）の例としてモンキーレンチを用い、結合部品の例としてボルトを用いて説明する。
【００１６】
〔第１の実施形態〕
図１は、本実施形態に係るモンキーレンチの構成を示す図である。このモンキーレンチは、連結部１と、ヘッド部２と、ハンドル部３と、を備えて構成される。
連結部１とヘッド部２とハンドル部３とはそれぞれ別々のパーツで構成され、連結部１を挟んで直列に連結することで、モンキーレンチにおいて２つの接続部が形成される。
【００１７】
連結部１は、ヘッド部２とハンドル部３とを連結する平板形状の連結棒である。一方の端部がヘッド部２に可動可能に接続され、他方の端部がハンドル部３に可動可能に接続される。ヘッド部２は、ボルトを直接操作する部位であり、一方の端部にボルトの頭を嵌めるための工具先端部４を備え、他方の端部に連結部１と可動可能に接続される第１の接続部１０を備える。ハンドル部３は、使用者の手により力が加えられる部位であり、一方の端部に連結部１と可動可能に接続される第２の接続部２０を備える。
【００１８】
次に、第１の接続部１０と第２の接続部２０との構成について説明する。
【００１９】
図１に示すように、第１の接続部１０が回転する第１の回転軸（ヘッド部２に対して連結部１が回転する回転軸）と、第２の接続部２０が回転する第２の回転軸（ハンドル部３に対して連結部１が回転する回転軸）とは、互いに直交する構成を備える。また、第１の回転軸は、モンキーレンチ使用時にヘッド部２が回転する回転軸（ボルトの頭を嵌め込んだ状態で工具先端部４を回転させたときの回転軸）に対して、直交する構成を備える。
【００２０】
より具体的には、図１に示すモンキーレンチの場合、モンキーレンチ使用時にヘッド部２（工具先端部４）が回転する回転軸をｘ軸とすると、第１の回転軸は、そのｘ軸に対して直交するｙ軸となる。また、第２の回転軸は、第１の回転軸が回転することにより、ｘ軸に対してｚ軸（直交軸）又はｘ軸（平行軸）となる。
【００２１】
従い、本実施の形態に係るモンキーレンチは、モンキーレンチのヘッド部とハンドル部を連結する連結部１と、連結部１と可動可能に接続された第１の接続部１０を備えるヘッド部２と、連結部１と可動可能に接続された第２の接続部２０を備えるハンドル部３と、からなる二軸構造を持つので、一軸の工具と同程度の作業性を備えることができ、ナット等に対するモンキーレンチの嵌め込み作業をより確実に行うことができる。また、第１の回転軸と第２の回転軸とは互いに直交し、第１の回転軸は常にモンキーレンチ使用時の回転軸に直交するので、モンキーレンチ使用時において、第１の回転軸の回転方向には力が加わらないようにすることができ、二軸化により自在変形を可能としつつも、第２の回転軸の回転方向にのみ力を加えることができ、一定以上の締め付け強度を備えることができる。
【００２２】
なお、本実施の形態では、ヘッド部２の回転軸に対して第１の回転軸が直交する場合について説明したが、第２の回転軸を直交させる構成でもよい。すなわち、第１の回転軸と第２の回転軸が互いに直交し、いずれか一方の回転軸が、工具の使用時にヘッド部２が回転する軸に対して、直交する構成であればよい。
【００２３】
また、本実施の形態では、モンキーレンチを用いて説明したが、スパナ等他の工具にも適用可能である。例えば、モンキーレンチやスパナ等のように専用の工具先端部４が一体化された工具や、結合部品の種類に応じてアダプターにより所定の工具先端部４を付け替え可能な工具に適用可能である。スパナやドライバーのようにボルトやネジ等を締め付けかつ緩めるすべての工具に適用可能である。その他、工具先端部４が非開放型のソケットレンチや、工具先端部４を両端に備えるコンビネーションレンチ等にも適用可能である。
【００２４】
また、連結部１の材質は、連結部１の個体強度を維持し、かつ、ボルトやナット等を締め付ける際の力を等しく伝達するため、金属が好ましい。また、連結部１の長さは、狭小スペースでの作業性を確保するため、ヘッド部２とハンドル部３との離間距離が一定以下になる程度の短い長さが望ましい。
【００２５】
また、連結部１とヘッド部２とを合わせて工具主体と総称してもよい。このとき、工具主体は、工具先端部４を備えるヘッド部２を連結部１により可動可能に接続した第１の接続部１０と、工具先端部４の反対側にハンドル部３と連結棒５により接続される第２の接続部２０と、を備えることとなる。
【００２６】
〔第２の実施形態〕
次に、第２の実施形態について説明する。本実施の形態では、連結部１とヘッド部２の相対角度を１８０度（ヘッド部２に対して連結部１が直列なストレート状態）にした場合に、第２の接続部２０が回転する方向は、モンキーレンチ使用時にヘッド部２の工具先端部４が回転する方向と同じである構成を備える。
【００２７】
このような構成を備えるモンキーレンチは、例えば、狭小なスペースで第１の接続部１０をヘッド部２に対して連結部１を９０度折り返した状態で利用した場合に、第２の接続部２０の回転軸がモンキーレンチ自身の回転軸と直交状態となるので、モンキーレンチ使用時にモンキーレンチの回転方向へ力を加えた際に、その力を適切に第２の接続部２０に加えることができる。
【００２８】
〔第３の実施形態〕
次に、第３の実施形態について説明する。本実施の形態では、図１〜図３を参照しながら、第１の接続部１０と第２の接続部２０との各構成の具体例について説明する。
【００２９】
まず、第２の接続部２０の構成について説明する。第２の接続部２０は、図１に示したように、連結部１とハンドル部３とが、ハンドル部３の厚み方向を回転軸とする連結棒５で接続される。連結部１及びヘッド部２は、その連結棒５を介して、ハンドル部３に対して、回転自在に取り付けられる構成を備える。
【００３０】
次に、第１の接続部１０の構成について説明する。第１の接続部１０は、図２に示すように、連結部１とヘッド部２とが、連結部１の側面に形成された凸形状の枢接部６と、ヘッド部２の側面に形成された凹形状の枢接溝７と、枢接部６を枢接溝７に収容した状態で連結部１とヘッド部２とを連結する枢軸８と、で枢接される構成を備える。その他、図３に示すように、枢接部６をヘッド部２の側面に形成し、枢接溝７を連結部１の側面に形成してもよい。このように、枢接部６を枢接溝７に収容した際の隙間をほぼゼロとし、枢接部６を枢接溝７との結合状態をきつめに構成することで、ハンドル部３に対するヘッド部２の角度を維持でき、所定角度での使用を容易に実現することができる。
【００３１】
〔第４の実施形態〕
次に、第４の実施形態について説明する。本実施の形態では、第２の接続部２０において角度固定の強度を高めることを目的とする。
【００３２】
図４に示すように、第２の接続部２０では、連結部１とハンドル部３とが面接合される構造を備える。また、連結部１の接合面１００とハンドル部３の接合面２００とは、それぞれ、ハンドル部３に対する連結部１及びヘッド部２の角度を自由な任意角度で固定できる溝部（凹部）又は突部（凸部）を備える。
【００３３】
例えば、図４に示したように、連結部１の接合面１００とハンドル部３の接合面２００との各中央からそれぞれ互いの周縁に向けて放射状に凹凸の溝を形成する方法が考えられる。放射状に形成した凹凸の溝は、２つの接合面１００，２００が互いに確実に噛み合わせられるように、一定角度ごとに形成してもよい。
【００３４】
また、互いの接合面１００，２００が面接合された状態で、各接合面１００，２００の中央に設けられた貫通孔に雄螺子の芯棒９を挿通させて貫通孔内の雌螺子で結合する構成を備える。
【００３５】
これにより、両接合面１００，２００を密着させることができる。密着度の高い噛み合わせにより連結部１とハンドル部３とが強固に連結されることから、モンキーレンチ使用時に、両接合面１００，２００の中央部（第２の接続部２０の中心）を中心として回転させる力が加わった場合であっても、ボルトの締め付け強度を維持し高めることができる。
【００３６】
なお、溝部及び突部の形状パターンは、２つの接合面１００，２００を互いに噛み合わせることが可能であり、モンキーレンチ使用時に両接合面１００，２００の接合強度を確保可能であれば任意の形状でよい。また、接合面１００については、連結部１の表側と裏側の両表面に形成してもよい。これにより、ハンドル部３を連結部１の裏側にも連結可能となり、モンキーレンチ使用時の作業の自由度を更に高めることができる。
【００３７】
以上より、各実施の形態によれば、２つの回転軸が直交関係にある２軸構造を備え、少なくとも一方の回転軸がモンキーレンチ自身の回転方向に直交する構造を備えるので、モンキーレンチ自体の変形の自由度を高め、狭小なスペースであってもボルトやナット等に工具先端を確実に嵌め込むことができ、狭い場所でも確実な作業を可能とし、十分な締め付け強度を維持することができる。
【符号の説明】
【００３８】
１…連結部
２…ヘッド部
３…ハンドル部
４…工具先端部
５…連結棒
６…枢接部
７…枢接溝
８…枢軸
９…芯棒
１０…第１の接続部
２０…第２の接続部
【図１】
2019118969.tif 000003
【図２】
2019118969.tif 000004
【図３】
2019118969.tif 000005
【図４】
2019118969.tif 000006
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
工具のヘッド部とハンドル部を連結する連結部と、
前記連結部と可動可能に接続された第１の接続部を備えるヘッド部と、
前記連結部と可動可能に接続された第２の接続部を備えるハンドル部と、を備え、
前記第１の接続部が回転する回転軸と前記第２の接続部が回転する回転軸は、互いに直交し、いずれか一方の回転軸は、工具の使用時に前記ヘッド部が回転する軸に対して、直交し、
前記第１の接続部と前記第２の接続部のうち前記第２の接続部において、
前記連結部と前記ハンドル部が面接合され、互いの接合面は、前記ハンドル部に対する前記連結部の角度を所定の角度で固定可能な放射状の凸部又は凹部を備えることを特徴とする二軸自在工具。
【請求項２】
前記第２の接続部は、
前記ハンドル部の太さよりも大きい直径を備えることを特徴とする請求項１に記載の二軸自在工具。
【請求項３】
前記連結部は、
前記凸部又は凹部を備える接合面を表側と裏側の両表面に備えることを特徴とする請求項１又は２に記載の二軸自在工具。
【請求項４】
前記第２の接続部において、
前記連結部と前記ハンドル部が蝶ネジを用いて面接合されることを特徴とする請求項１乃至３のいずれかに記載の二軸自在工具。
【手続補正２】
【補正対象書類名】明細書
【補正対象項目名】０００９
【補正方法】変更
【補正の内容】
【０００９】
以上の課題を解決するため、請求項１に係る二軸自在工具は、工具のヘッド部とハンドル部を連結する連結部と、前記連結部と可動可能に接続された第１の接続部を備えるヘッド部と、前記連結部と可動可能に接続された第２の接続部を備えるハンドル部と、を備え、前記第１の接続部が回転する回転軸と前記第２の接続部が回転する回転軸は、互いに直交し、いずれか一方の回転軸は、工具の使用時に前記ヘッド部が回転する軸に対して、直交し、前記第１の接続部と前記第２の接続部のうち前記第２の接続部において、前記連結部と前記ハンドル部が面接合され、互いの接合面は、前記ハンドル部に対する前記連結部の角度を所定の角度で固定可能な放射状の凸部又は凹部を備えることを特徴とする。
【手続補正３】
【補正対象書類名】明細書
【補正対象項目名】００１０
【補正方法】変更
【補正の内容】
【００１０】
請求項２に係る二軸自在工具は、請求項１に記載の二軸自在工具において、前記第２の接続部は、前記ハンドル部の太さよりも大きい直径を備えることを特徴とする。
【手続補正４】
【補正対象書類名】明細書
【補正対象項目名】００１１
【補正方法】変更
【補正の内容】
【００１１】
請求項３に係る二軸自在工具は、請求項１又は２に記載の二軸自在工具において、前記連結部は、前記凸部又は凹部を備える接合面を表側と裏側の両表面に備えることを特徴とする。
【手続補正５】
【補正対象書類名】明細書
【補正対象項目名】００１２
【補正方法】変更
【補正の内容】
【００１２】
請求項４に係る二軸自在工具は、請求項１乃至３のいずれかに記載の二軸自在工具において、前記第２の接続部において、前記連結部と前記ハンドル部が蝶ネジを用いて面接合されることを特徴とする。